【手続補正書】
【提出日】平成18年8月29日(2006.8.29)
【手続補正１】
【補正対象書類名】特許請求の範囲
【補正対象項目名】全文
【補正方法】変更
【補正の内容】
【特許請求の範囲】
【請求項１】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムであって、
前記画像出力システムは、
前記印刷製版用原稿を光電的に読み取りデジタル画像データに変換するスキャナー手段と、
前記スキャナー手段で修正指示が書き込まれた前記印刷製版用原稿を読み取る際に、４６．４ｄｐｉから３２５．１ｄｐｉまでの範囲内でのみ読取解像度の指定を行うことができる読取解像度指定画面を有する読取解像度指定手段と、
前記変換されたデジタル画像データを保存する保存手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、
を備えることを特徴とする画像出力システム。
【請求項２】
前記保存されたデジタル画像データを４６．４ｄｐｉから３２５．１ｄｐｉまでの範囲内でのみ解像度変更の指定を行うことができる変更解像度指定画面を有する解像度変更手段を備えることを特徴とする、請求項１に記載の画像出力システム。
【請求項３】
請求項１に記載の画像編集端末に、前記読取解像度指定画面を表示させるプログラム。
【請求項４】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、
前記送信されたデジタル画像データを受けて、当該デジタル画像データに基づく画像である前記印刷製版用原稿を出力する画像出力装置と、を含み構成される画像出力システムであって、
前記画像出力システムは、
前記印刷製版用原稿を光電的に読み取りデジタル画像データに変換するスキャナー手段と、
前記変換されたデジタル画像データを保存する保存手段と、
前記保存されたデジタル画像データの解像度を変更する解像度変更手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段とを備え、
前記解像度変更手段は、
前記保存されたデジタル画像データを４６．４ｄｐｉから３２５．１ｄｐｉまでの範囲内でのみ解像度変更の指定を行うことができる変更解像度指定画面を有し、前記変更解像度指定画面で指定された解像度へデジタル画像データを変更することを特徴とする画像出力システム。
【請求項５】
請求項４に記載の画像編集端末に、前記変更解像度指定画面を表示させるプログラム。
【請求項６】
印刷製版用原稿の画像を表示する表示手段と、前記表示された印刷製版用原稿の画像を編集するための編集手段とを備え、前記編集手段により編集された前記印刷製版用原稿に基づくデジタル画像データを送信する制御装置と、
前記送信されたデジタル画像データを受けて、当該デジタル画像データに基づく画像である前記印刷製版用原稿を出力する画像出力装置と、を含み構成される画像出力システムであって、
前記画像出力システムは、
前記印刷製版用原稿を光電的に読み取りデジタル画像データに変換するスキャナー手段と、
前記変換されたデジタル画像データを保存する保存手段と、
前記保存されたデジタル画像データの解像度を変更する解像度変更手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記制御装置へ送信する送信手段とを備え、
前記解像度変更手段は、
送信先の表示手段の表示画面上における解像度を取得する取得手段を有し、
前記取得手段が取得した前記送信先の表示手段の表示画面上における解像度に応じて、前記保存されたデジタル画像データの解像度の変更を行うことを特徴とする画像出力システム。
【請求項７】
前記解像度変更手段におけるデジタル画像データの変更は、４６．４ｄｐｉから３２５．１ｄｐｉの範囲内でのみ行われることを特徴とする、請求項６に記載の画像出力システム。
【請求項８】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、
前記印刷製版用原稿を光電的に読み取りデジタル画像データに変換するスキャナー手段と、
前記スキャナー手段で修正指示が書き込まれた前記印刷製版用原稿を読み取る際に、４６．４ｄｐｉから３２５．１ｄｐｉまでの範囲内でのみ読取解像度の指定を行うことができる読取解像度指定画面を有する読取解像度指定手段と、
前記変換されたデジタル画像データを保存する保存手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、
を備えることを特徴とする画像出力装置。
【請求項９】
前記保存されたデジタル画像データを４６．４ｄｐｉから３２５．１ｄｐｉまでの範囲内でのみ解像度変更の指定を行うことができる変更解像度指定画面を有する解像度変更手段を備えることを特徴とする、請求項６に記載の画像出力装置。
【請求項１０】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、
前記印刷製版用原稿を光電的に読み取りデジタル画像データに変換するスキャナー手段と、
前記変換されたデジタル画像データを保存する保存手段と、
前記保存されたデジタル画像データの解像度を変更する解像度変更手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段とを備え、
前記解像度変更手段は、
前記保存されたデジタル画像データを４６．４ｄｐｉから３２５．１ｄｐｉまでの範囲内でのみ解像度変更の指定を行うことができる変更解像度指定画面を有し、前記変更解像度指定画面で指定された解像度へデジタル画像データを変更することを特徴とする画像出力装置。
【請求項１１】
印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、
前記印刷製版用原稿を光電的に読み取りデジタル画像データに変換するスキャナー手段と、
前記変換されたデジタル画像データを保存する保存手段と、
前記保存されたデジタル画像データの解像度を変更する解像度変更手段と、
前記保存されたデジタル画像データに基づく画像である前記印刷製版用原稿を当該印刷製版用原稿に書き込まれた修正指示に従って編集するべく、前記保存されたデジタル画像データをネットワークを介して前記制御装置へ送信する送信手段とを備え、
前記解像度変更手段は、
送信先の表示手段の表示画面上における解像度を取得する取得手段を有し、
前記取得手段が取得した前記送信先の表示手段の表示画面上における解像度に応じて、前記保存されたデジタル画像データの解像度の変更を行うことを特徴とする画像出力装置。
【請求項１２】
前記解像度変更手段におけるデジタル画像データの変更は、４６．４ｄｐｉから３２５．１ｄｐｉの範囲内でのみ行われることを特徴とする、請求項１１に記載の画像出力装置。
【手続補正２】
【補正対象書類名】明細書
【補正対象項目名】発明の名称
【補正方法】変更
【補正の内容】
【発明の名称】画像出力システム、画像出力装置及びプログラム
【手続補正３】
【補正対象書類名】明細書
【補正対象項目名】０００１
【補正方法】変更
【補正の内容】
【０００１】
本発明は、印刷製版用原稿に基づくデジタル画像データを送信する画像編集端末と、これを受けて、当該デジタル画像データに基づく画像である前記印刷製版用原稿を出力する画像出力装置との間において、前記画像出力装置により修正指示の書き込まれた印刷製版用原稿を読み取り、その画像データを送信して、これを受けた前記画像編集端末において、当該画像データに基づく画像として前記修正指示の書き込まれた印刷製版用原稿を表示し、当該印刷製版用原稿を当該印刷製版用原稿に書き込まれた修正指示に従って修正する編集作業を行う画像出力システム、画像出力装置及びプログラムに関する。
【手続補正４】
【補正対象書類名】明細書
【補正対象項目名】００１８
【補正方法】変更
【補正の内容】
【００１８】
本発明は、上記事情を鑑みて成されたものであり、その目的とするところは、印刷製版用原稿に基づくデジタル画像データを送信する画像編集端末と、これを受けて、当該デジタル画像データに基づく画像である前記印刷製版用原稿を出力する画像出力装置との間において、前記画像出力装置により修正指示の書き込まれた印刷製版用原稿を読み取り、その画像データを送信して、これを受けた前記画像編集端末において、当該画像データに基づく画像である前記修正指示の書き込まれた印刷製版用原稿を表示することで、作業者がその修正指示の書き込まれた印刷製版用原稿を紙出力することなく、これを修正する編集作業を行うことを可能にすると共に、当該印刷製版用原稿の画像データの送信に際して、表示画面上での視認性を鑑みた必要最小限の解像度にてこれを行うことで、転送量を低減してネットワークコストを抑えることを可能にする画像出力システム、画像出力装置及びプログラムを提供することにある。
【手続補正５】
【補正対象書類名】明細書
【補正対象項目名】００１９
【補正方法】変更
【補正の内容】
【００１９】
上記課題を解決するために、請求項１記載の発明は、印刷製版用原稿の画像を表示する表示手段と、前記表示された印刷製版用原稿の画像を編集するための編集手段とを備え、前記編集手段により編集された前記印刷製版用原稿に基づくデジタル画像データを送信する画像編集端末と、前記送信されたデジタル画像データを受けて、当該デジタル画像データに基づく画像である前記印刷製版用原稿を出力する画像出力装置と、を含み構成される画像出力システムであって、前記画像出力システムは、前記印刷製版用原稿を光電的に読み取りデジタル画像データに変換するスキャナー手段と、前記スキャナー手段で修正指示が書き込まれた前記印刷製版用原稿を読み取る際に、４６．４ｄｐｉから３２５．１ｄｐｉまでの範囲内でのみ読取解像度の指定を行うことができる読取解像度指定画面を有する読取解像度指定手段と、前記変換されたデジタル画像データを保存する保存手段と、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段とを備えたことを特徴とする。
【手続補正６】
【補正対象書類名】明細書
【補正対象項目名】００２０
【補正方法】変更
【補正の内容】
【００２０】
上記課題を解決するために、請求項８記載の発明は、印刷製版用原稿の画像を表示する表示手段と、前記表示された印刷製版用原稿の画像を編集するための編集手段とを備える画像編集端末から、前記編集手段により編集された前記印刷製版用原稿に基づくデジタル画像データの送信を受けて、当該デジタル画像データに基づく画像である前記印刷製版用原稿を出力する画像出力装置であって、前記印刷製版用原稿を光電的に読み取りデジタル画像データに変換するスキャナー手段と、前記スキャナー手段で修正指示が書き込まれた前記印刷製版用原稿を読み取る際に、４６．４ｄｐｉから３２５．１ｄｐｉまでの範囲内でのみ読取解像度の指定を行うことができる読取解像度指定画面を有する読取解像度指定手段と、前記変換されたデジタル画像データを保存する保存手段と、前記保存されたデジタル画像データに基づく画像である前記印刷製版用原稿を当該印刷製版用原稿に書き込まれた修正指示に従って編集するべく、前記保存されたデジタル画像データをネットワークを介して前記画像編集端末へ送信する送信手段と、を備えたことを特徴とする。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】変更
【補正の内容】
【００２８】
本発明に係る画像出力システム、画像出力装置及びプログラムによれば、画像出力装置により修正指示の書き込まれた印刷製版用原稿を読み取り、その画像データを送信して、これを受けた画像編集端末において、当該画像データに基づく画像である前記修正指示の書き込まれた印刷製版用原稿を表示することができるので、作業者は、その修正指示の書き込まれた印刷製版用原稿を紙出力することなく、これを修正する編集作業を行うことができると共に、当該印刷製版用原稿の画像データの送信に際して、表示画面上での視認性を鑑みた必要最小限の解像度にてこれを行うことができるので、転送量を低減してネットワークコストを抑えることができる。
【手続補正１５】
【補正対象書類名】明細書
【補正対象項目名】００２９
【補正方法】変更
【補正の内容】
【００２９】
また、本発明に係る画像出力システム、画像出力装置及びプログラムによれば、画像出力装置を印刷発注主やデザイン製作社の所在地に設置して、画像編集端末を印刷会社に設置することで、従来、郵送により行われていた印刷製版用原稿のやりとりをネットワークを介して行うことができるので、当該印刷製版用原稿のやりとりに掛かるコストや時間を低減することができる。
【手続補正１６】
【補正対象書類名】明細書
【補正対象項目名】００３０
【補正方法】変更
【補正の内容】
【００３０】
以下、本発明に係る画像出力システム、画像出力装置及びプログラムについて、図面を参照しながら詳細に説明する。
【手続補正１７】
【補正対象書類名】明細書
【補正対象項目名】００５７
【補正方法】変更
【補正の内容】
【００５７】
以上に説明したように、本実施形態における画像出力システム、画像出力装置及びプログラムによれば、カラーレーザープリンタ３の通信手段３ｅにより「赤入れ」画像をネットワークＮを介して送信して、これを受けたクライアント端末１のモニタ表示手段１ｂにおいて、その「赤入れ」画像を表示することができるので、作業者は紙出力を伴うことなく、これを修正する編集作業を行うことができると共に、カラーレーザープリンタ３の解像度変更手段３ｄにより当該「赤入れ」画像の送信に際して、クライアント端末１のモニタ表示手段１ｂの表示画面上での視認性を鑑みた必要最小限の解像度にてこれを行うことができるので、転送量を低減して、最小限のネットワークコストに抑えることができる。
【手続補正１８】
【補正対象書類名】明細書
【補正対象項目名】００５８
【補正方法】変更
【補正の内容】
【００５８】
また、本実施形態における画像出力システム、画像出力装置及びプログラムによれば、カラーレーザープリンタ３を印刷発注主やデザイン製作社の所在地に設置して、クライアント端末１を印刷会社に設置することで、従来、郵送により行われていた「赤入れ」原稿のやりとりをネットワークを介して行うことができるので、当該「赤入れ」原稿のやりとりに掛かるコストや時間を低減させることができる。
【手続補正１９】
【補正対象書類名】明細書
【補正対象項目名】００５９
【補正方法】変更
【補正の内容】
【００５９】
尚、以上に説明した本実施形態における画像出力システム、画像出力装置及びプログラムは、本発明の好適な一実施形態を例示したものであり、その他の実施形態を除外するものではない。